(57)【要約】      （修正有）【課題】ディスク保持装置のカバーを自動機械で外す。【解決手段】ハードドライブディスクを入れるためのディスク保持装置１０が、ベース１６と、ベースに対して支持されるカセットと、カセット１４の上を覆って支持されるカバー１８とを含む。ベースは第１ロック面４０を含む。カバーは、カバーの端部３８，４２の近くにラッチアーム３２ａ，３２ｂを含む。ラッチアームは第２ロック面４４を有し、ベースとカバーとを共に固定するために第１ロック面は第２ロック面に受け止められる。第１ロック面と第２ロック面の少なくとも一方は、ディスク保持装置を開けるためにベースとカバーとを分離できるように、ロック面のロックを解除するためにカセットの内部に向かって内側方向に移動可能である。【選択図】図１
2012197116.tif 000002
【特許請求の範囲】
【請求項１】
ディスクの保持装置であって、
第１ロック面を含むベースと、
前記ベースに対して支持されるカセットと、
少なくとも部分的に前記カセットの上を覆って支持されるカバーと
を備え、
前記カバーは、前記カバーの端部の近くにラッチアームを含み、
前記ラッチアームは第２のロック面を有し、前記ベースと前記カバーとを共に固定するために前記第１ロック面が前記第２のロック面に受け止められ、
前記第１ロック面と前記第２ロック面の少なくとも一方は、前記ディスク保持装置を開けるために前記ベースと前記カバーとを分離できるように、前記ロック面のロックを解除するために前記カセットの内部に向かって内側方向に移動可能である装置。
【請求項２】
前記ベースは、前記ベースの端部の近くにステムを含み、
前記第１ロック面は、前記ステム上のタブにあり、
前記第２ロック面は、前記ラッチアームのスロットの近くにあり、
前記タブは、前記ベースと前記カバーとを共に固定するために少なくとも部分的に前記スロット内に入れられる、請求項１に記載の装置。
【請求項３】
前記タブは、前記カセットの前記内部から離れる外側方向を向いており、前記ステムは前記ロック面のロックを解除するために内側に移動可能である、請求項２に記載の装置。
【請求項４】
前記タブは、前記カセットの前記内部に向かって内側方向を向いており、前記ラッチアームは、前記ロック面のロックを解除するために内側に移動可能である、請求項２に記載の装置。
【請求項５】
前記ステム上に前記第１ロック面から離間して保持面を含み、前記保持面は前記ステムの面を中断する、請求項１に記載の装置。
【請求項６】
前記保持面は、前記カセットの前記内部から離れて外側に向かう方向に突出する隆起した面を前記ステム上に備える、請求項５に記載の装置。
【請求項７】
前記ラッチアームはチャネルを備え、
前記カセットは、少なくとも部分的に前記チャネルに入れられる相補的部分を備え、前記チャネルと前記相補的部分とは前記カセットの内部と周辺環境との間に曲がりくねった経路を設ける、請求項１に記載の装置。
【請求項８】
前記カセットは前記カセットの端部に凹部を備え、前記第１ロック面と前記第２ロック面とをロック解除するために前記ステムが内側方向に移動したとき、前記ステムの一部が前記凹部内に入れられる、請求項１に記載の装置。
【請求項９】
前記ベースと前記カバーは、前記カセット部分とは異なる部品を備える、請求項１に記載の装置。
【請求項１０】
前記ベースは、前記ベースの端部の近くにスロットを含み、
前記第１ロック面は前記スロットの近くにあり、
前記第２ロック面は前記ラッチアーム上のタブにあり、
前記タブは、前記カバーと前記ベースとを共に固定するために少なくとも部分的に前記スロットに入れられる、請求項１に記載の装置。
【発明の詳細な説明】
【技術分野】
【０００１】
本発明は、概してディスク保持装置に関するものであり、より詳細には、ディスク保持装置のロック機構に関するものである。
【背景技術】
【０００２】
ハードドライブディスクは一般的に、ある場所で製造されてディスク保持装置に入れられ、その後別の場所への配送のためにコンテナに配置される。ディスク保持装置は、最終的にコンテナから取り出され、製造工程での分配中にハードドライブディスクを格納するのに使用される。ハードドライブディスクは、通常の製造サイクルにおけるすべての段階で保護されなければならない。
【０００３】
ディスクを入れ、配送し、分配するために、様々なディスク保持装置が開発されている。典型的なディスク保持装置は、カセット部分と、カバーと、装置を閉じた状態にロックするラッチとを含む。周知のように、ハードドライブディスクは、カセット部分内部にある複数のスロット内に入れられる。米国特許第６，９０２，０５９号に一例が示されている。その他のディスク保持装置も知られている。
【０００４】
製造工程中、内部に格納されたハードドライブディスクにアクセスするために、頻繁にディスク保持装置のカセット部分からカバーを取り外すことが必要である。ディスク保持装置のカバーをロック解除して取り外すのに、しばしば自動機械が利用される。この結果を達成するために、そして既知のディスク保持装置のラッチアームにおけるロックのデザインのせいで、自動機械は、カバーをロック解除して取り外すのに、ラッチアームに、ディスク保持装置の内部から離れる方向へ外向きの引張り力をかけることにより、ラッチアームを操作する必要がある。自動機械によって加えられる操作は、比較的多くの場合に、ラッチアームのロックを解除できない可能性がある。不都合なことに、これは、生産効率の低下およびディスク保持装置に関する製造業者からの苦情増大の原因になることがある。
【発明の概要】
【発明が解決しようとする課題】
【０００５】
このように、分配工程で使用される自動機械との改善された相互作用を実現する、ディスク保持装置をロックするための改良された配置が必要である。本発明は、その必要性を満たす改良されたラッチアームを提供する。
【課題を解決するための手段】
【０００６】
ハードドライブディスクを入れるためのディスク保持装置が、ベースと、ベースに対して支持されるカセットと、カセットの上を覆って支持されるカバーとを含む。ベースは第１ロック面を含む。カバーは、カバーの端部の近くにラッチアームを含む。ラッチアームは第２ロック面を有し、ベースとカバーとを共に固定するために第１ロック面は第２ロック面に受け止められる。第１ロック面と第２ロック面の少なくとも一方は、ディスク保持装置を開けるためにベースとカバーとを分離できるように、ロック面のロックを解除するためにカセットの内部に向かって内側方向に移動可能である。
【０００７】
一実施例において、第１ロック面はステム上の突出タブの一部である。このような一実施例における第２ロック面は、ラッチアーム上のスロットの近くにある面である。タブは、ベースとカバーとを共に固定するために少なくとも部分的にスロット内に入れられる。
【０００８】
本発明の様々な特徴と利点は、以下の詳細な説明から当業者に明らかになるであろう。詳細な説明に添付する図面は、以下のように簡単に説明することができる。
【図面の簡単な説明】
【０００９】
【図１】本発明の一実施形態に従って設計されたラッチアームを含むディスク保持装置を概略的に示す。
【図２】図１のディスク保持装置のためのカバーの側面図である。
【図３】図１のディスク保持装置を組立状態で示す。
【図４】第２の例示的なディスク保持装置を示す。
【図５】図４に示す第２の例示的なディスク保持装置の組立図を示す。
【図６】図４に示すディスク保持装置の例示的なロック面の構成の正面図を示す。
【図７】図４に示すディスク保持装置の別の例示的なロック面の構成の正面図を示す。
【図８】図４に示すディスク保持装置のさらに別の例示的なロック面の構成の正面図を示す。
【図９】図４に示すディスク保持装置のさらに別の例示的なロック面の構成の正面図を示す。
【図１０】図１０Ａおよび図１０Ｂは、例示的なディスク保持装置のロックを解除するための工程を概略的に示す。
【図１１】本発明の実施形態に従って設計された別の例示的なディスク保持装置を示す。
【図１２】図１１の例示的なディスク保持装置のロックを解除するための工程を概略的に示す。
【図１３】別の例示的な実施形態の選択した部分を概略的に示す。
【発明を実施するための形態】
【００１０】
図１は、複数のディスク１２を収容する例示的なディスク保持装置１０を概略的に示す。例示的なディスク保持装置１０は、カセット部分１４と、例示的なベース部分１６と、例示的なカバー１８とを含む。カセット部分１４は、複数のディスク１２を安全に入れるための内部２８を形成するように構成された、２つの側壁２０，２２と２つの端壁２４、２６とを含む。側壁２０、２２は、互いに概ね平行に位置合わせされ、複数のディスク１２間の接触を最小限に抑え且つ複数のディスク１２にサポートを提供するように設計され、それらを互いに離間した状態で且つディスク保持装置１０内で概ね安定した位置に保持する。ディスク１２は、カセット部分１４の側壁２０，２２に形成された複数のスロット３０に入れられる。
【００１１】
対向する端壁２４，２６の少なくとも一方がチャネル３４を含む。一実施例においては、両方の端壁２４，２６がチャネル３４を含む。図示の実施例において、チャネル３４は概ねＵ字形状である。チャネル３４は、カセット部分１４に入れたときのハードドライブディスク１２へのアクセスのために、少なくとも１つの端壁２４，２６に設けられる。
【００１２】
図示の実施例において、ベース部分１６は、例えば、締まり嵌めを用いて、カセット部分１４の片側に固定される。別の実施例において、ベース部分１６は、カセット部分１４と一体化した単一部品として形成される。カバー１８は、ベース部分１６から見てカセット部分１４の反対側に対して支持される。カバー１８は、ベース部分１６に向かって延び且つ選択的にベース部分１６のロック面３６に固定される、ディスク保持装置１０をロックするためのラッチアーム３２を含む。一実施例において、カバー１８は２つのラッチアーム３２を含み、カバー１８の各端部に１つのラッチアーム３２が配置される。
【００１３】
図１および図２は、カバー１８の一端３８の近くに配置されたラッチアーム３２Ａを示す。ラッチアーム３２Ａは、カバー１８から横方向に（すなわち、ベース部分１６に向かって）延びている。ラッチアーム３２Ａの第１面４０が、端部３８の反対側にあるカバー１８の端部４２の方を概ね向いている。ラッチアーム３２Ａは、第１面４０の反対側を向いている第２面４４を含む。言い換えれば、第２面４４は、カバー１８の端部４２から離れる方を向いている。
【００１４】
例示的なラッチアーム３２は、カバー１８から離れるように第２面４４から突出するロッキングタブ４６を含む。一実施例において、ロッキングタブ４６は、ラッチアーム３２の遠位端に配置される。ラッチアームはまた、リフティングレッジ４８と、少なくとも１つのフィンガーグリップ５０とを備える。リフティングレッジ４８は、下記のようにカバー１８の自動取り外しを支援することができる。開示した実施例において、２つのフィンガーグリップ５０は、ラッチアーム３２に含まれる。フィンガーグリップ５０は、ユーザーが手動でディスク保持装置１０に対して相対的にカバー１８を操作するの支援することができる。
【００１５】
一実施例において、リフティングレッジ４８と少なくとも１つのフィンガーグリップ５０は、ロッキングタブ４６と実質的に同じ方向に延びている。例示的なリフティングレッジ４８は、フィンガーグリップ５０とロッキングタブ４６との間でラッチアーム３２の第２面４４に配置される。ロッキングタブ４６とリフティングレッジ４８とフィンガーグリップ５０の各々は、ラッチアーム３２の第２面４４から離れるように横方向に突出している。横方向は、例えば、ディスク保持装置１０の内部２８から見て外方に向いている。ディスク保持装置１０の内部２８から見て外方に向いているロッキングタブ４６のような特徴を備えたラッチアーム３２を有することは、以前のデザインと正反対である。例示的な実施形態は、ディスク保持装置１０と製造工程中にラッチアーム３２を操作するのに使用される自動機械との間の改善された相互作用を容易にする。
【００１６】
例示的なベース部分１６は、一方の端壁５３の近くにロック面３６を有する。一実施例において、端壁５３は、支持と剛性を提供するためにロック面３６に隣接するアーム部分５８を含む。ロック面３６は、２つのアーム部分５８の間に延びている。端壁５３とロック面３６との間に溝６０が存在する。例えば、図３に示すようにカバー１８とカセット部分１４とベース１６を組み立てると、ラッチアーム３２の少なくとも一部が溝６０を貫通して入れられる。
【００１７】
ラッチアーム３２の２つのフィンガーグリップ５０の間に、溝５２が形成されている。面４４上にある溝５２は、１つには、装置１０の内部に向かってラッチアームの第１面４０から延びるボス５４を設けるために存在する。ボス５４は、カバー１８がカセット部分１４に支持されてロックされたときにディスク保持装置１０をシールするように、選択的に端壁２４、２６のチャネル３４に係合する（例えば、図３を参照）。
【００１８】
組み立てたディスク保持装置１０を図３に示す。この実施例において、カバー１８はロック位置でディスク保持装置１０に固定される。ラッチアーム３２は、少なくとも一部がベース部分１６の溝６０を通って延びている。ロッキングタブ４６は、少なくとも一部がロック面３６に当接する。ロッキングタブ４６は、ラッチアーム３２の一部が溝６０を通って移動すると、ベース部分１６のロック面３６に受け止められる。図２から最もよく分かるように、ロッキングタブ４６は、溝６０を通してタブを挿入するのを容易にする傾斜面６２を有する。ロッキングタブ４６はまた、ベース部分１６のロック面３６と接するロック面６４を有する。
【００１９】
図４−８は、複数のディスク１２を収容する別の例示的なディスク保持装置８０を概略的に示す。ディスク保持装置８０は、カセット部分８２と、ベース部分８４と、カバー８６とを含む。カセット部分８２は、例示的なディスク保持装置１０のカセット部分１４と実質的に類似している。しかし、ベース部分８４およびカバー８６は、ディスク保持装置１０の例示的なベース部分１６および例示的なカバー１８とは異なるユニークな特徴を含む。
【００２０】
この実施例において、カバー８６は、ディスク保持装置８０をロックするためのラッチアーム８７を有する端壁８８を含み、端壁８８は、ベース部分８４に向かって延び且つベース部分８４のロック面９０に選択的に固定される。一実施例において、カバー８６は２つの端壁８８を含み、カバー８６の各端部に１つのラッチアーム８７が配置される。
【００２１】
図４および図５は、カバー８６から横方向に且つベース部分８４に向かって延びている端壁８８を示す。例示的な端壁８８は、チャネル係合部分９１と、カバー８６から離れる（すなわち、ディスク保持装置８０の内部から離れる）方向にラッチアーム８７から突出するロッキングタブ８５とを含む。ロッキングタブ８５は、一実施例において、ラッチアーム８７の遠位端８９に隣接して配置される。チャネル係合部分９１は、１つには、ラッチアーム８７からディスク保持装置８０の内部に向かって延びるボス９３を設けるために存在する。ボス９３は、カバー８６がカセット部分８２に支持されてロックされたときにカセット部分８２の端壁８８のチャネル９５と選択的に係合する（例えば、図５を参照）。
【００２２】
一実施例において、ラッチアーム８７のロッキングタブ８５は、離間し且つ遠位端８９に隣接するラッチアーム８７の両縁に配置された２つの係合面９２を含む。当然のことながら、ディスク保持装置８０の係合面９２の実際の数と位置は、ベース部分８４のロック面９０の設計を含む特定の設計パラメータに応じて変化する。例えば、ラッチアーム８７は、図１に示した構成に類似した１つの係合面９２のみを含んでもよい。
【００２３】
ラッチアーム８７はまた、リフティングレッジ９８を含む。リフティングレッジ９８は、この実施例において、ラッチアーム８７の係合面９２から、カバー８６を含むディスク保持装置８０の端部に向かう方向にずれている。リフティングレッジ９８は、以下でより詳細に説明するように、カバー８６の自動または手動の取り外しを支援することができる。
【００２４】
一実施例において、リフティングレッジ９８は、ラッチアーム８７から係合面９２と同じ方向に（すなわち、ラッチアーム８７の外面から横方向に）突出する。リフティングレッジ９８は、一実施例において、２つのレッジ部分１０２の間に配置された湾曲部分１００を含む。湾曲部分１００は、例えば、以下でさらに述べるように、ロック面９０の対応する中央部分１０４によく似ている。
【００２５】
カバー８６を所定の位置にロックすると、ラッチアーム８７の係合面９２とリフティングレッジ９８との間に操作面１０６が露出する。ディスク保持８０の内部から見て外方に向いている係合面９２のような特徴を備えたラッチアーム８７を有することは、以前のデザインと正反対である。例示的な実施形態は、ディスク保持装置８０と製造工程中にラッチアーム８７を操作するのに使用される人の指かまたは自動機械との間の改善された相互作用を容易にする。
【００２６】
例示的なベース部分８４は、一方の端壁１０８の近くにロック面９０を含む。一実施例において、ベース部分８４は、支持と剛性を提供するためにロック面９０に隣接するアーム１１０を含む。ロック面９０は、アーム１１０の間に延びている。各アーム１１０は、カバー８６に向かって伸びる第１部分１１２と、少なくとも部分的にラッチアーム８７を間に挟むように、ディスク保持装置８０の内部から離れて係合面９２と同様の方向に突出する第２部分１１４とを含む。端壁１０８とロック面９０との間に溝１１６が存在し、アーム１１０の第２面１１４の間に延びている。ディスク保持装置８０がロック位置に組み立てられると、ラッチアーム８７の少なくとも一部が、溝１１６を貫通して入れられる（図５参照）。アーム１１０の第２部分１１４は、ラッチアーム８７を部分的に間に挟み、配送中のラッチアーム８７が不用意に外れること等を防ぐ。
【００２７】
一実施例において、ロック面９０の中央部分１０４は、アーム１１０の間で水平方向に（すなわち、真っ直ぐ横に）延びている（図９参照）。別の実施例において、ロック面９０はフランジ９７間に配置された「中断された」中央部分１０４を含む。「中断された」は、面全体にわたって真っ直ぐではなく、代わりに、中央部分１０４において構成または形状が変化するロック面を表すことを意図している。一実施例において、中央部分１０４は湾曲し、リフティングレッジ９８の湾曲部分１００によく似ている（図６参照）。しかしながら、中央部分１０４は他の形状及び構成を有することができることを当業者は理解するであろう。例えば、中央部分１０４は、全体として矩形でもよい（図７参照）。さらに別の実施例において、ロック面９０のフランジ９７は、中央部分１０４を除いている（すなわち、フランジ９７は中央部分１０４によってつながれていない）（図８参照）。
【００２８】
湾曲した中央部分１０４（図６）は、ディスク保持装置８０の底端部に向かう方向に延びている。一実施例において、操作面１０６は人の指の形状によく似ている。例示的な中央部分１０４は操作面１０６を露出した状態のままにし、操作面１０６の接触点を、ディスク保持装置８０の底端部１１８に向かってより大きく移動することを可能にする。これにより、ディスク保持装置８０を開けるべくラッチアーム８７を操作するのに必要とされる力が減らされるように、改良されたてこ装置が提供される。
【００２９】
ロッキングタブ８５の係合面９２は、例えば、図６に示すように、ディスク保持装置８０を組み立てるときにカバー８６をベース部分８４に取り付けるために、ロック面９０のフランジ９７に当接する。操作面１０６は、係合面９２に隣接する領域においてロック面９０の中央部分１０４により遮られていない。
【００３０】
この実施例における係合面９２は、図６に示すように、ラッチアーム８７の遠位端８９から第１距離Ｄ１だけずれている。ロック面９０の中央部分１０４は、ラッチアーム８７の遠位端８９から第２距離Ｄ２だけずれている。一実施例において、第１距離Ｄ１は第２距離Ｄ２よりも大きい（図６参照）。この配置は、操作面１０６をディスク保持装置８０の底端部１１８の方へ露出させる特徴を含む。
【００３１】
図１０Ａは、ラッチアーム３２にディスク保持装置１０の内部２８に向かう方向に力Ｆを加えることによりカバー１８のラッチアーム３２を操作する機械７０を概略的に示す。本実施例は、ディスク保持装置１０に関して説明されているが、第２の例示的なディスク保持装置８０のラッチアーム８７を操作するのにも同様のプロセスが当てはまる。図示の実施例において、力Ｆは、リフティングレッジ４８より下にある面４４（或いは、第２の例示的なディスク保持装置８０の操作面１０６）に加えられる。例示的な機械７０は、力Ｆを加えるように面４４に接触するアーム７２を有する。アーム７２は、ロッキングタブ４６が溝６０と位置合わせされるように、ロック面６４をロック面３６から離すのに十分な距離を移動する。ラッチアーム３２の弾性は、装置１０を閉じた状態にしておくためにロック面３６および６４が協働するように、ロッキングタブ４６を、カセット部１４の内部２８から離れる方へ付勢する。力Ｆは、その付勢に打ち勝つのに十分である。ラッチアーム３２への力Ｆを維持しながら、アーム７２は、図１０Ｂに示すように、ディスク保持装置１０からカバー１８を取り外すために開方向Ｄ２に移動する。図示の実施例において、第２方向Ｄ２は、力Ｆの方向に対して横方向である。リフティングレッジ４８（またはディスク保持装置８０のリフティングレッジ９８）は、アーム７２がベース部分１６とカセット１４からカバー１８を持ち上げるのを補助することができる。
【００３２】
別の実施例において、ラッチアーム３２とカバー１８は、カバー１８を取り外すために手動で操作される。例えば、必要に応じてカバーを操作するために、個々の人が面４４を押し、フィンガーグリップ５０を使用することができる。さらに別の実施例において、例示的なディスク保持装置８０のラッチアーム８７を解放するために、個々の人が操作面１０６を押すことができる。
【００３３】
図示の実施例は、例えば、より簡単なラッチアームのロック解除方法を実現するために、製造機械または人の手とディスク保持装置との間の相互作用を改善する様々な特徴を含む。図示の実施例は、改良されたラッチアームとベース部分の特徴との組み合わせを含む。例えば、例示的なディスク保持装置１０の溝６０内におけるラッチアーム３２の位置は、ラッチアームがベースの外側端からベースに係合させられた以前の配置に比べてより高い安全性をもたらす。別の実施例において、例示的なディスク保持装置８０のラッチアーム８７とロック面９０の改良されたデザインにより、ラッチアーム上の接触点はより下の方にあり、ラッチアーム８７を解放するのにあまり力が必要とされないように改良されたてこ装置が提供される。本明細書の利益を得る当業者は、それらの特定の状況におけるニーズを満たすために、ロッキングタブを有するラッチアーム、ロック面を備えたベース部分、リフティングレッジ、またはフィンガーグリップ、或いは、これらの機能の任意の組み合わせを利用することができる。
【００３４】
図１１は、別の例示的なディスク保持装置２００を示す。この実施例は、ベース２０２と、カセット２０４と、カバー２０６とを含む。一方の側（図面によると下側）に沿ったカセット２０４の一部分が、ベース２０２の内部２０８に入れられる。カバー２０６は、カセット２０４の反対側（図面によると上側）に支持される。カバー２０６がベース２０２にそれらの間にあるカセット２０４と共に固定されると、カセット２０４の内部にあるスロット２１０に保持されたディスクまたはウェハの汚染を防止するように装置の内部が密封される。
【００３５】
この実施例は、カバー２０６をベース２０２に固定するための協働ロック面を含む。ベース２０２は第１ロック面２１２を含み、第１ロック面２１２はカバー２０６上にある第２ロック面２１４と係合する。例示されたベース２０２は、ステム２１８上にタブ２１６を含む。第１ロック面２１２はタブ２１６上にある。第２ロック面２１４は、カバー２０６のラッチアーム２２２にあるスロット２２０の一方の縁に沿った面である。装置２００の３つの部品が適切に位置合わせされ、互いに支持されると、タブ２１６は、第１ロック面２１２が第２ロック面２１４に受け止められるように、少なくとも部分的にスロット２２０に入れられる。ロック面がその位置で互いに接触しているとき、カバー２０６はベース２０２から分離されることができず、カセット２０４はそれらの間にしっかりととどまっている。
【００３６】
図１２を参照すると、第１ロック面２１２は、第２ロック面２１４と係合するロック位置で示されている。装置２３４が、概略的に矢印２３８で示すようにステム２１８に力を与えるムーバ２３６を含む。ムーバ２３６は、タブ２１６とステム２１８の一部分とをカセット２０４の内部に向かって付勢する。この実施例におけるステム２１８は、機械２３４によって加えられる力または個人によって加えられる手動力がない限り、図１１のステム２１８と同じ向きである図１２に実線で示す位置にステム２１８がとどまるように、少なくとも部分的に可撓性及び弾性がある。
【００３７】
図１２に仮想線で示すように、ムーバ２３６がタブ２１６の十分な移動を引き起こすと、第１ロック面２１２は装置をロック解除するように第２ロック面２１４から離れ、カセット２０４に含まれる任意のディスクまたはウェハへのアクセスを提供するべくカセット２０４の内部を露出するために、カバー２０６がベース２０２から分離されることが可能になる。図示の実施例は、カバー２０６とベース２０２との分離を容易にするためにステム２１８上に保持面２４０を含む。この実施例において、保持面２４０は隆起した面である。他の保持面の構成が他の実施例に含まれる。保持面２４０は、ステム２１８の面を中断し、ベース２０２をカバー２０６から分離しているときにベースの移動に抵抗するかまたは移動を引き起こす能力をもたらす。
【００３８】
この実施例におけるムーバ２３６は、同図から理解できるように、第１ロック面２１２と保持面２４０との間でステム２１８の面に接触する。カバー２０６をベース２０２から離れる方に移動させる（例えば、カバーを上方に移動させるか、またはベースを下方に移動させる）とき、それらを分離しているときにカバー２０６が移動するのと同じ方向にベース２０２が移動するのを防ぐために、或いは、ベース２０２をカバーから離れる方に移動させるのを容易にするために（例えば、ムーバ２３６が図面によれば下方に移動する場合）、ムーバ２３６は面２４０に接触することができる。
【００３９】
図１１および図１２の実施例における１つの特徴は、タブ２１６の動きが、装置のロックを解除するためにカセット２０６の内部に向かって内側方向に生じることである。その動きの間、タブ２１６とステム２１８の一部は、カセット２０６の端壁２５２と側部サポート２５４との間の凹部２５０に入れられる。これにより、装置２００の外側の覆い内で利用可能な空間を利用するので、ロック解除および取り扱い工程中に装置２００の任意の部分を操作するのにその覆いの外側にクリアランスを必要としない。
【００４０】
図１１および図１２の実施例のもう１つの特徴は、カバー２０６がラッチアーム２２２の縁に沿ってチャネル２２４を有することである。縁壁２２６および２２８がチャネル２２４の側面をもたらす。縁壁２２６および２２８は、容器２００を閉じたときカセット２０４の相補的な部分２３０と重なる。カセット２０４とカバー２０６とを接合すると、カセット２０４の相補的な部分２３０は、少なくとも部分的にチャネル２２４に入れられる。この配置は、カセット２０４の内部と周辺環境との間に曲がりくねった経路を提供し、経路が、外部の汚染物質が容器に入って容器内のディスクの表面に接触するのを防ぐ働きをする。この特徴は、この実施例の容器内のディスクまたはウェハの完全性にさらなる安全性を追加する。
【００４１】
図１３は、カセット２０４の内部に向かって内側方向にタブ２１６が突出する、別の例示的な配置を示す。第１ロック面２１２はタブ２１６上にある。第２ロック面２１４は、スロット２２０の一方の側にある。この実施例において、ラッチアーム２２は、カバー２０６がベース２０２に固定されるとき、ステム２１８の内側で受け止められ、ラッチアーム２２２がステム２１８の外側で受け止められる図１１および図１２の実施例と異なっている。この実施例において、ラッチアーム２２２は、第１ロック面および第２ロック面を解放し、カバー２０６をベース２０２からロック解除するように内側に移動可能である。
【００４２】
以上の説明は、例示として解釈されるものとし、決して限定的な意味ではないものとする。当業者の労働者には、特定の変更が本発明の範囲内にあることが分かるであろう。こうした理由から、本発明の真の範囲および内容を決定するために、以下の特許請求の範囲を検討すべきである。
【図１】
2012197116.tif 000003
【図２】
2012197116.tif 000004
【図３】
2012197116.tif 000005
【図４】
2012197116.tif 000006
【図５】
2012197116.tif 000007
【図６】
2012197116.tif 000008
【図７】
2012197116.tif 000009
【図８】
2012197116.tif 000010
【図９】
2012197116.tif 000011
【図１０】
2012197116.tif 000012
【図１１】
2012197116.tif 000013
【図１２】
2012197116.tif 000014
【図１３】
2012197116.tif 000015
【外国語明細書】
2012197116.tif 000016
2012197116.tif 000017
2012197116.tif 000018
2012197116.tif 000019
2012197116.tif 000020
2012197116.tif 000021
2012197116.tif 000022
2012197116.tif 000023
2012197116.tif 000024
2012197116.tif 000025
2012197116.tif 000026
2012197116.tif 000027
2012197116.tif 000028
2012197116.tif 000029
2012197116.tif 000030
2012197116.tif 000031
2012197116.tif 000032
2012197116.tif 000033
2012197116.tif 000034
2012197116.tif 000035
2012197116.tif 000036
2012197116.tif 000037
2012197116.tif 000038
2012197116.tif 000039
2012197116.tif 000040
2012197116.tif 000041
2012197116.tif 000042